【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
システムの構成部品であって、（ａ）構成部品の一部又は全部が外部高温度を示すか又は生成する及びシステムは構成部品から周囲の環境内への熱の損失又は移動を防止する又は低減するために断熱される必要がある、（ｂ）構成部品の一部又は全部又は構成部品内のなにかが高温度への露出によって損傷を受けやすい、若しくは（ｃ）（ａ）及び（ｂ）の両方であるときに、前記構成部品が、システム構成部品構造体と、前記システム構成部品構造体の少なくとも一部分を断熱するための断熱ラップとを含み、前記断熱ラップが、
無機バインダー、無機フィラー粒子、及び水を含む混合物と、
無機繊維を含み、柔軟なバインダーラップを形成するように前記混合物で含浸される布と、を含み、
前記柔軟なバインダーラップが、前記システム構成部品構造体の少なくとも一部分の周りに略完全に、又は少なくとも１回巻き付けられる、構成部品。
【請求項２】
前記無機フィラー粒子が、水の存在下で前記無機バインダーと混合されたときに、任意の微粒子を含むことで、前記柔軟なバインダーラップを前記システム構成部品構造体の周りに巻き付ける前に前記柔軟なバインダーラップが固体の塊になるように、前記無機バインダーの実質的な部分を、ゲルを形成しないで又は他の方法で凝固しないで前記布内に保持させる、請求項１に記載の構成部品。
【請求項３】
前記無機バインダーが、コロイダル粒子を含み、かつ前記無機フィラー粒子が、水の存在下で前記無機バインダーと混合されるときにゲルを形成しない若しくは他の方法で凝固しない状態で前記無機バインダーの実質的な部分を前記布内に保持させる任意の微粒子を含む、請求項１又は２に記載の構成部品。
【請求項４】
前記布が、
（ａ）シートの形態であり、かつ断熱される前記システム構成部品構造体の前記部分を被覆するために前記シートの１層のみが必要とされるか、
又は、（ｂ）ストリップの形態であり、かつ断熱される前記システム構成部品構造体の前記部分を被覆するために前記システム構成部品構造体の周りに前記ストリップを複数回巻き付けなければならない、請求項１〜３のいずれか一項に記載の構成部品。
【請求項５】
無機繊維を含む少なくとも１つの断熱材、
少なくとも１つの金属プレート又はフォイル、
又は両方、を更に含み、前記断熱材及び前記金属プレート又はフォイルのそれぞれが、前記柔軟なバインダーラップの層の間に、前記柔軟なバインダーラップと前記システム構成部品構造体との間に、前記柔軟なバインダーラップと断熱材との間に、若しくはそれらの任意の組み合わせで、前記断熱ラップ内に配設される、請求項１〜４のいずれか一項に記載の構成部品。
【請求項６】
前記柔軟なバインダーラップが、乾燥状態にありかつ硬いバインダーラップへ転換される、請求項１〜５のいずれか一項に記載の構成部品。
【請求項７】
前記硬いバインダーラップが、前記硬いバインダーラップの全体的な整合性が保存されるままで前記硬いバインダーラップがせいぜい粉砕される、少なくとも約４０Ｎの最小粉砕力を示す、請求項６に記載の構成部品。
【請求項８】
前記構成部品は、内燃機関用の排気システムの構成部品であり、前記構成部品構造体は排気システム構成部品構造体であり、前記断熱ラップが、前記内燃機関の前記排気システム内の前記成部品の少なくとも１年間又は１２，０００マイルの平常運転の間、層間剥離しない、請求項６又は７に記載の構成部品。
【請求項９】
前記柔軟なバインダーラップが、約１％〜約３５％の範囲の無機バインダー粒子と、約５％〜約７５％の範囲の無機フィラー粒子と、約２５％〜約６５％の範囲の前記布の前記無機繊維とを含み、各パーセントがドライ重量に基づいている、請求項６〜８のいずれか一項に記載の構成部品。
【請求項１０】
システム構成部品構造体の少なくとも一部分を断熱するための断熱ラップであって、
前記断熱ラップが：
無機バインダー、無機フィラー粒子、及び水を含む混合物と、
無機繊維を含み、柔軟なバインダーラップを形成するように前記混合物で含浸される布と、を含み、
前記柔軟なバインダーラップが、前記システム構成部品構造体にほぼ完全に、又は少なくとも一部分の周りに少なくとも１回巻き付けられるように寸法設定され、
前記無機フィラー粒子が、水の存在下で前記無機バインダーと混合されたときに、前記システム構成部品構造体の周りに前記柔軟なバインダーラップを巻き付けることができる前に前記柔軟なバインダーラップが固体の塊になるようにゲルを形成せずに或いは他の方法で凝固せずに前記無機バインダーの実質的な部分を前記布内に保持させる、任意の微粒子を含む、断熱ラップ。
【請求項１１】
システム構成部品構造体の少なくとも一部分を断熱するための断熱ラップであって、
前記断熱ラップが：
無機バインダー、無機フィラー粒子、及び水を含む混合物と、
無機繊維を含み、柔軟なバインダーラップを形成するように前記混合物で含浸される布と、
無機繊維を含む少なくとも１つの断熱材と、を含み、
前記柔軟なバインダーラップが、前記システム構成部品構造体をほぼ完全に、又は少なくとも一部分の周りに少なくとも１回巻き付けられるように寸法設定され、
前記断熱ラップが適用されるときに、前記少なくとも１つの断熱材が前記柔軟なバインダーラップとシステム構成部品構造体の外周表面との間に配設されるように前記少なくとも１つの断熱材が配設される、断熱ラップ。
【請求項１２】
システムの構成部品の露出した面に使用される断熱ラップの作製方法であって、（ａ）構成部品の一部又は全部が外部高温度を示すか又は生成する及びシステムは構成部品から周囲の環境内への熱の損失又は移動を防止する又は低減するために断熱される必要がある、（ｂ）構成部品の一部又は全部又は構成部品内のなにかが高温度への露出によって損傷を受けやすい、若しくは（ｃ）（ａ）及び（ｂ）の両方であるときに、
混合水、無機バインダー粒子及び無機フィラー粒子を含む混合物を形成することと、
システム構成部品構造体にほぼ完全に、又は少なくとも一部分の周りに少なくとも１回巻き付けることができる無機繊維を含む布を用意することと、
柔軟なバインダーラップを形成するように前記布を前記混合物で含浸させることと、を含み、
前記布が、前記システム構成部品構造体の周りに巻き付けられる前又は後に前記混合物で含浸され、
前記柔軟なバインダーラップは、当該柔軟なバインダーラップが前記構成部品の露出した面を形成するように、前記システム構成部品構造体にほぼ完全に、又は少なくとも一部分の周りに少なくとも１回巻き付けられるのに好適である、方法。
【請求項１３】
システムの構成部品を断熱する方法であって、
ａ）構成部品の一部又は全部が外部高温度を示すか又は生成する及びシステムは構成部品から周囲の環境内への熱の損失又は移動を防止する又は低減するために断熱される必要がある、（ｂ）構成部品の一部又は全部又は構成部品内のなにかが高温度への露出によって損傷を受けやすい、若しくは（ｃ）（ａ）及び（ｂ）の両方であるときに、
前記構成部品が、システム構成部品構造体を有し、前記方法が、
前記システム構成部品構造体の少なくとも一部分を断熱するのに好適な断熱ラップを用意することを含み、前記断熱ラップが、
無機バインダー、無機フィラー粒子、及び水を含む混合物と、
無機繊維を含み、柔軟なバインダーラップを形成するように前記混合物で含浸される布と、を含み、
前記システム構成部品構造体にほぼ完全に、又は少なくとも一部分の周りに少なくとも１回巻き付けられるように前記柔軟なバインダーラップをラッッピングすることと、
前記システム構成部品構造体の少なくとも前記部分の周りに完全に巻き付けられた硬いバインダーラップに転換されるように前記柔軟なバインダーラップを乾燥することと、を含む、方法。